(57)【特許請求の範囲】
【請求項１】
便座部を有する腰掛式便器に装着される尿の飛沫遮蔽具であって、
尿の飛沫を遮蔽させる伸縮壁と、保持手段と、伸縮手段とを含み、
前記伸縮壁が、重層された薄板と、膜体と、支持片とを備え、
前記重層された薄板が、便器の後部から左右側方に延びると共に、前記伸縮壁の上方側をなす薄板が内層に、下方側をなす薄板が外層に配されてなり、
前記膜体が、各々の薄板に対して、薄板を重ねたまま垂直面方向にスライド可能に貼着され、前記重層された薄板を一体とさせ、
前記支持片が、前記重層された薄板の下辺を支持させ、
前記保持手段が、外層の薄板から便器の両側方に延び、便座部と便器の側壁天面との隙間に介挿されて前記側壁天面に当接され、
前記伸縮手段が、昇降駆動部と、昇降運動伝達部とを有し、
前記昇降駆動部が、便器の外に配されると共に、昇降運動を発生させ、
前記昇降運動伝達部が、内層の薄板から便器の側方に延び、前記隙間を貫通し前記昇降駆動部まで延設されて前記昇降運動を前記伸縮壁に伝達させ、
前記保持手段と前記昇降運動伝達部とが、縮退させた伸縮壁を便器の中で、前記便座部の下方かつ便器の側壁の内方空間に収容させて吊り下げ保持させている、
ことを特徴とする飛沫遮蔽具。
【請求項２】
前記腰掛式便器が、洗浄便座を備え、
前記洗浄便座は、洗浄ノズルを格納させる基部が便器の後部において、便器開口部の上方に張り出して配設され、
前記飛沫遮蔽具が、進退駆動部と進退運動伝達部からなる進退手段を有し、
前記進退駆動部が、便器の外に配設されると共に、進退運動を発生させ、
前記保持手段が、前記進退運動伝達部として機能し、前記進退運動伝達部が前記隙間を貫通して便器の外まで延設されると共に進退駆動部に連設されてなり、前記進退運動を前記伸縮壁に伝達させ、
前記便座部が降ろされたときには、前記進退手段が伸縮壁の中央部を、洗浄ノズルの動線と交差しない前記基部の下方位置まで後退させ、
前記便座部が起ち上げられたときには、前記進退手段が前記伸縮壁を前記基部の先端部よりも便器の前方側の位置に進出させる、
ことを特徴とする請求項１に記載の飛沫遮蔽具。
【請求項３】
両側方に延びる前記保持手段の少なくともいずれか一方が、前記進退運動伝達部とされ、
前記昇降運動伝達部と前記進退運動伝達部が、先端が下方に屈曲された鉤状軸体とされ、
前記伸縮壁が、夫々の前記鉤状軸体の先端に回動可能に軸支され、
前記進退駆動部が、前記進退運動伝達部をなす鉤状軸体を周方向に回転させることにより、前記伸縮壁を下方に凸をなす円弧軌道に沿って揺動進退させ、前記伸縮壁の中央部を前記基部の下方に潜り込ませるように後退させる、
ことを特徴とする請求項２に記載の飛沫遮蔽具。
【請求項４】
両側方に延びる前記保持手段の少なくともいずれか一方が、前記進退運動伝達部とされ、
前記昇降運動伝達部と前記進退運動伝達部が、先端が下方に屈折された屈折板とされ、
前記昇降運動伝達部をなす屈折板が、前記昇降駆動部に便器の前後方向にスライド可能に装着され、
前記支持片が、前記内層の薄板の前面に面する立設部を有し、
前記進退駆動部が、前記進退運動伝達部をなす屈折板を、便器の側壁天面に沿って前後方向に摺動させ、
前記伸縮壁を進出させるときは、前記進退運動伝達部に連なる前記外層の薄板が、前記重層された薄板を押し出して一体に進出させ、
前記伸縮壁を後退させるときは、前記立設部が、前記重層された薄板を引っ掛けて一体に後退させる、
ことを特徴とする請求項２に記載の飛沫遮蔽具。
【請求項５】
前記伸縮壁が、前記伸縮手段と前記保持手段とに脱着可能に装着されている、
ことを特徴とする請求項１乃至請求項４のいずれか一項に記載の飛沫遮蔽具。
【請求項６】
前記膜体が、前記重層された薄板の前面及び背面に貼着されている、
ことを特徴とする請求項１乃至請求項５のいずれか一項に記載の飛沫遮蔽具。
【請求項７】
前記昇降駆動部が、上水道の水圧により伸縮されるシリンダー形式の昇降駆動装置とされ、
シリンダーと、給水用の第１電磁弁と、排水用の第２電磁弁と、排水筒とを有し、
第１電磁弁が、前記上水道と前記シリンダー内部の貯水空間とを連通させ、
第２電磁弁が、前記シリンダーの頂部に備えられ、前記貯水空間と前記排水筒とを連通させ、
前記排水筒が、前記頂部よりも下方に配されると共に、前記隙間に介挿され前記伸縮壁の上縁部まで延びる扁平筒部を有し、
前記扁平筒部の先方開口部が、前記内層の薄板の前面に当接され、
第１電磁弁を開放させ、第２電磁弁を閉鎖させることにより、前記貯水空間に給水されて前記シリンダーが伸長され、
第１電磁弁を閉鎖させ、第２電磁弁を開放させることにより、前記貯水空間から前記排水筒に排水されて前記シリンダーが自重で縮退され、
前記扁平筒部が、水を前記伸縮壁の上縁部まで案内させ、前記伸縮壁の前面を伝うように排水させる、
ことを特徴とする請求項１乃至請求項６のいずれか一項に記載の飛沫遮蔽具。
【発明の詳細な説明】
【技術分野】
【０００１】
本発明は、腰掛式便器に装着される尿の飛沫遮蔽具に関する。より詳細には、男性が立った状態で、腰掛式便器に向かい合って排尿するときに、尿の飛沫を遮蔽させる伸縮壁を伸張させ、便器と便器周囲とを汚損させにくくする飛沫遮蔽具に関する。より具体的には、便座部が倒されている間は、前記伸縮壁を縮退させて便器の中に収容させることができ、便座部を改造して着座位置を高くしなくても既設の腰掛式便器に装着させることができる飛沫遮蔽具に関する。また、洗浄便座を有する腰掛式便器に適用させた場合であっても、洗浄ノズルの動作を妨害させない飛沫遮蔽具に関する。
【背景技術】
【０００２】
日本において広く普及している便器には、小便器と称される男性が排尿のみを行う壁掛式便器と、排便・排尿の兼用便器とがある。しかし、一般住宅、小規模店舗においては、便所に割り当てることのできるスペースには限りがあり、壁掛式便器と兼用便器の両方を設置できないことから、兼用便器として腰掛式便器のみが設置されている。腰掛式便器とは、便器本体と便座部と便蓋とを備えた便器であり、男性が排尿のみを行うときを除いて、人が腰掛けて排泄をする便器である。
【０００３】
一方、男性が排尿のみを行うときには、便座部と便蓋を起こし、立ったまま腰掛式便器に向かい合った状態で排尿がされている。立ったまま排尿がされると、便器までの距離が遠いために、便器から跳ね返った尿の飛沫が広い範囲に飛び散りやすく、便器だけでなく便器周囲の床面までも汚損させることがあった。便器・床面等に付着された尿の飛沫は、雑菌が繁殖されやすく不衛生であるばかりか、悪臭の原因ともなっている。以下、腰掛式便器に向かい合ったときに、人に近い側の便器の端部を前方とし、人から遠い側の便器の端部を後方として説明する。
【０００４】
特許文献１には、便器の左右側方に尿の飛沫が飛散されることを防止させる尿の飛沫遮蔽具の技術が開示されている。この文献に記載の技術によれば、蛇腹状に折り畳んだ伸縮壁の一方の端部を便器の左右の側壁天面に貼着させ、他方の端部を便座部底面に貼着させ、便座部が起ち上げられたときには、前記他方の端部が引っ張られて伸縮壁を扇状に展開させている。
【０００５】
しかし、この技術においては、便器天面と便座部底面との間に、折り畳まれた伸縮壁を挟在させる必要があった。そのため、便座部を改造して着座位置を高くし、伸縮壁を収容させる空間をあけなければ、腰掛式便器に飛沫遮蔽具を装着させることができないという課題があった。また、便座部の前方には飛沫を遮蔽させる壁がなく、便座部と便蓋に飛沫が付着されることは防止できないという課題もあった。
【０００６】
特許文献２には、便座部を開閉操作させると、便器開口部の全周を取り囲む伸縮壁を、コイルばねの弾発力により起立させる小便飛散防止装置の技術が開示されている。この文献に記載の技術によれば、便座部が降ろされたときには、伸縮壁が便座部底面と便器天面とに挟み潰されて伸縮壁が縮退され、便座部底面と便器天面との間に挟在される。
【０００７】
この技術においても、特許文献１に記載の技術と同様に、便座部を改造して着座位置を高くし、便座部底面と便器天面との間に伸縮壁を収容させる空間をあけなければ、小便飛散防止装置を便器に装着させることができないという課題があった。更に、伸縮壁が便器開口部の前方側にも起立されるため、便器開口部の位置が高くなり、児童等の身長の低い者にとっては、かえって排尿がしにくくなるという課題もあった。
【０００８】
特許文献３には、便器天面に沿って、便器の後部から左右両側に延びる略Ｕ字形状の伸縮壁をモータにより昇降させる洋式便器用小便飛散防止装置の技術が開示されている。この文献に記載の技術によれば、伸縮壁が蛇腹シートと、前記蛇腹シートを保形したまま伸縮しやすくさせる下部フレームと上部フレームから構成されている。Ｕ字形状の下部フレームを便器天面に固着させ、上部フレームをモータと軸で昇降させることにより、蛇腹シートを伸縮させている。
【０００９】
この技術においても、上下のフレームを含む伸縮壁全体を、便座部底面と便器天面との間に挟在させる必要があった。そうすると、特許文献１，２に記載の技術と同様に、便座部を改造して着座位置を高くし、便座部底面と便器天面との間に伸縮壁を収容させる空間をあけなければ、洋式便器用小便飛散防止装置を腰掛式便器に装着させることができないという課題があった。
【００１０】
また、近年においては洗浄便座を有する腰掛式便器が広く普及されている。洗浄便座の構造は製造者により多様であるが、洗浄ノズルが格納される基部が、便器天面の後方部を覆うように載置される点では共通している。そうすると、特許文献２，３のように、便器天面の後方部に伸縮壁を載置させる技術では、洗浄便座を有する腰掛式便器に適用させることはできなかった。
【先行技術文献】
【特許文献】
【００１１】
特許文献１：特開２００５−３４２４６２号公報
特許文献２：特開２００２−７０１１３号公報
特許文献３：実開平５−９６１７６号公報
【発明の概要】
【発明が解決しようとする課題】
【００１２】
本発明が解決しようとする課題は、便座部を改造して着座位置を高くしなくても既設の腰掛式便器に装着させることができると共に、便器と便器周囲とを汚損させにくくする尿の飛沫遮蔽具を提供することである。また、洗浄ノズルの動作を妨害させず、洗浄便座を有する腰掛式便器にも適用させることができる汎用性の高い尿の飛沫遮蔽具を提供することである。
【課題を解決するための手段】
【００１３】
本発明の第１の発明は、便座部を有する腰掛式便器に装着される尿の飛沫遮蔽具であって、尿の飛沫を遮蔽させる伸縮壁と、保持手段と、伸縮手段とを含み、前記伸縮壁が、重層された薄板と、膜体と、支持片とを備え、前記重層された薄板が、便器の後部から左右側方に延びると共に、前記伸縮壁の上方側をなす薄板が内層に、下方側をなす薄板が外層に配されてなり、  前記膜体が、各々の薄板に対して、薄板を重ねたまま垂直面方向にスライド可能に貼着され、前記重層された薄板を一体とさせ、前記支持片が、前記重層された薄板の下辺を支持させ、  前記保持手段が、外層の薄板から便器の両側方に延び、便座部と便器の側壁天面との隙間に介挿されて前記側壁天面に当接され、前記伸縮手段が、昇降駆動部と、昇降運動伝達部とを有し、  前記昇降駆動部が、便器の外に配されると共に、昇降運動を発生させ、前記昇降運動伝達部が、内層の薄板から便器の側方に延び、前記隙間を貫通し前記昇降駆動部まで延設されて前記昇降運動を前記伸縮壁に伝達させ、前記保持手段と前記昇降運動伝達部とが、縮退させた伸縮壁を便器の中で、前記便座部の下方かつ便器の側壁の内方空間に収容させて吊り下げ保持させていることを特徴としている。
【００１４】
腰掛式便器においては、便座部の下面に備えられた脚部により、便座部と便器天面とが密着しないように、約５ｍｍから約１０ｍｍの隙間があけられている。この脚部は、前記隙間に指をかけて便座部を持ち上げやすくさせるものであり、腰掛式便器に共通して備えられている。また、便座部は便器の側壁天面よりも内方側まで延びているため、便座部の下方には、便器の内面と便座部底面に囲まれる内方空間が備えられる。
【００１５】
本発明は、前記隙間と前記内方空間とを有効に活用して、伸縮壁を便器の中で吊り下げ保持させることを主要な構成としている。より具体的には、尿の飛沫遮蔽具をなす伸縮壁は、前記隙間に介挿されて便器の左右両側の側壁天面に当接される保持手段と、前記隙間を内外に貫通する昇降運動伝達部により、便座部の下方かつ便器の側壁の内方空間に収容されて吊り下げ保持されている。
【００１６】
すなわち、便座部底面と便器の側壁天面との間には、前記隙間を通すことのできる薄い部材からなる保持手段と昇降運動伝達部のみが挟在され、伸縮壁自体は前記隙間には挟在されず、あくまで便器の中に吊り下げられている。これにより、便座部を改造して着座位置を高くさせなくても、尿の飛沫遮蔽具を腰掛式便器に装着させることができるという従来にない有利な効果を奏する。
【００１７】
重層された薄板は、伸縮壁の上部をなす薄板が内層に、伸縮壁の下部をなす薄板が外層に、水平方向に重層されている。各々の薄板が膜体により一体とされているため、伸縮手段により内層の薄板を上昇させると、内層の薄板に貼着されている膜体が展張され、内層と外層の中間にある薄板が内層側から順に引き出され垂直面方向にスライドされる。
【００１８】
薄板を重ねたまま垂直面方向にスライド可能とは、薄板１枚あたりのスライド距離が、薄板の高さよりも短く、伸縮壁を伸張させたときに、薄板の上縁部が、上隣の薄板の背面に重なると共に、薄板の下縁部が下隣の薄板の前面に重なったままであることをいう。
【００１９】
伸縮壁をなす内層と外層の中間の薄板は、支持片により下方に垂れ下がらないように支持されている。そのため、伸縮壁が縮退されるときは、外層の薄板側から順に支持片に下辺が当接されるまで、各々の薄板が垂直面方向にスライドされて降下され、同じ高さで水平方向に重層された状態に復元される。これにより、各々の薄板が同じ高さで重層されて伸縮壁が低くなり、便器の内部に収容できるようになる。また、縮退された伸縮壁は、便座部の下方に隠ぺいされ、便座開口部の下方に位置していないため、便器の中に収容されていても排便は付着されにくい。
【００２０】
伸縮壁をなす各々の薄板は、便器の後部から左右両側に延びているため、伸縮壁を伸張させると、便器の後部と左右側方の三方が取り囲まれる。伸縮壁の平面形状は、便器の内面に沿うように滑らかに湾曲された形状とすると好適であるが、略コの字形状に屈曲させた形状としてもよく限定されない。便器内面の起伏形状は製造者により多様であるため、薄板の１枚あたりの高さは限定されず、吊り下げたときに薄板の下端部が便器の内面に擦らない高さであればよい。薄板の材質も限定されず、金属製であってもよく樹脂製であってもよい。
【００２１】
本発明の第１の発明によれば、便座部を改造して着座位置を高くさせなくても、尿の飛沫遮蔽具を腰掛式便器に装着させることができるという従来にない有利な効果を奏する。便器の後部と左右側方が取り囲まれるため、便器の中で跳ね返った飛沫を遮蔽させるだけでなく、便座部、便蓋に尿が直接かかることも防止される。また、伸縮壁が伸張されたときに、薄板の上縁部前面に上隣の薄板が重なっているため、飛沫が壁の前面を垂れても、尿が壁の背面側に浸入されることがなく、前面を拭くだけで衛生的に管理しやすい。
【００２２】
本発明の第２の発明は、第１の発明の飛沫遮蔽具であって、前記腰掛式便器が、洗浄便座を備え、前記洗浄便座は、洗浄ノズルを格納させる基部が便器の後部において、便器開口部の上方に張り出して配設され、前記飛沫遮蔽具が、進退駆動部と進退運動伝達部からなる進退手段を有し、前記進退駆動部が、便器の外に配設されると共に、進退運動を発生させ、前記保持手段が、前記進退運動伝達部として機能し、前記進退運動伝達部が前記隙間を貫通して便器の外まで延設されると共に進退駆動部に連設されてなり、前記進退運動を前記伸縮壁に伝達させ、前記便座部が降ろされたときには、前記進退手段が伸縮壁の中央部を、洗浄ノズルの動線と交差しない前記基部の下方位置まで後退させ、前記便座部が起ち上げられたときには、前記進退手段が前記伸縮壁を前記基部の先端部よりも便器の前方側の位置に進出させることを特徴としている。
【００２３】
第２の発明の飛沫遮蔽具においては、伸縮壁を便器の前後方向に進退させる進退手段を備えさせている。便座部が降ろされ、腰掛式便器に腰掛けて排泄がされるときには、便器の中に収容されている伸縮壁が洗浄ノズルの動線と交差しないように、便器の後部に面している伸縮壁の中央部を洗浄便座の基部の下方位置に後退させている。これにより、伸縮壁を便器の中に収容させても、洗浄ノズルが延出されるときに伸縮壁と接触されず、洗浄動作を妨害させない。
【００２４】
また、進退手段により伸縮壁を洗浄便座の基部の先端部よりも便器の前方側の位置まで進出させてから、伸縮手段により伸縮壁を伸張させている。そのため、伸縮壁を伸張させるときに洗浄便座の基部にあたることもない。第２の発明によれば、製造者ごとに構造が異なる洗浄便座にも飛沫遮蔽具を装着させることができ、汎用性の高い飛沫遮蔽具とすることができる。
【００２５】
本発明の第３の発明は、第２の発明の飛沫遮蔽具であって、両側方に延びる前記保持手段の少なくともいずれか一方が、前記進退運動伝達部とされ、前記昇降運動伝達部と前記進退運動伝達部が、先端が下方に屈曲された鉤状軸体とされ、  前記伸縮壁が、夫々の前記鉤状軸体の先端に回動可能に軸支され、前記進退駆動部が、前記進退運動伝達部をなす鉤状軸体を周方向に回転させることにより、前記伸縮壁を下方に凸をなす円弧軌道に沿って揺動進退させ、前記伸縮壁の中央部を前記基部の下方に潜り込ませるように後退させることを特徴としている。
【００２６】
第３の発明によれば、外層の薄板から側方に延びる保持手段が、鉤状軸体からなる進退運動伝達部とされる。伸縮壁を支える鉤状軸体を連動して回動させることにより、伸縮壁を下方に凸をなす円弧軌道に沿って揺動進退させている。これにより、簡単な機構の進退駆動部により、伸縮壁を小さな進退動作で、基部の下方に潜り込ませることができる。
【００２７】
また、伸縮壁が夫々の鉤状軸体に回動可能に軸支されるため、伸縮壁を揺動させて前進させたときに傾くことがなく、各々の薄板を垂直に伸張させることができる。進退駆動部は、便器の左右両側にモータを夫々配設させ、二つのモータを連動させて左右夫々の鉤状軸体を回動させてもよく、一つの進退駆動部により左右夫々の鉤状軸体を回動させてもよい。
【００２８】
本発明の第４の発明は、第２の発明の飛沫遮蔽具であって、両側方に延びる前記保持手段の少なくともいずれか一方が、前記進退運動伝達部とされ、前記昇降運動伝達部と前記進退運動伝達部が、先端が下方に屈折された屈折板とされ、前記昇降運動伝達部をなす屈折板が、前記昇降駆動部に便器の前後方向にスライド可能に装着され、前記支持片が、前記内層の薄板の前面に面する立設部を有し、前記進退駆動部が、前記進退運動伝達部をなす屈折板を、便器の側壁天面に沿って前後方向に摺動させ、前記伸縮壁を進出させるときは、前記進退運動伝達部に連なる前記外層の薄板が、前記重層された薄板を押し出して一体に進出させ、前記伸縮壁を後退させるときは、前記立設部が、前記重層された薄板を引っ掛けて一体に後退させることを特徴としている。
【００２９】
第４の発明によれば、進退運動伝達部をなす屈折板が便器天面に沿って摺動されて、伸縮壁を進退させている。そのため、伸縮壁に左右から均等に進退手段を伝達させなくても、伸縮壁が傾くことがない。そうすると、伸縮壁から便器の両側方に延びる保持手段のうち、一方だけを進退運動伝達部として、進退駆動部により進退させればよい。これにより、進退駆動部を簡単な機構とすることができると共に、洗浄便座の基部から便器の側方に操作盤が延出されている洗浄便座にも容易に適用することができる汎用性の高い飛沫遮蔽具とすることができる。
【００３０】
また、重層された薄板の下辺を支持させる支持片が、内層の薄板の前面に面する立設部を有している。進退運動伝達部に連なる外層の薄板を後退させると、外層の薄板と一体をなす立設部が内層の薄板の前面に引っ掛かる。そのため、内層の薄板と中間の薄板が、伸縮壁を進出させた位置に取り残されることがなく、重層させた薄板を一体に後退させることができる。
【００３１】
本発明の第５の発明は、第１の発明から第４の発明の飛沫遮蔽具であって、前記伸縮壁が、前記伸縮手段と前記保持手段とに脱着可能に装着されていることを特徴としている。第５の発明によれば、伸縮壁だけを定期的に交換することが容易となり、飛沫遮蔽具を衛生的に管理しやすい。
【００３２】
本発明の第６の発明は、第１の発明から第５の発明の飛沫遮蔽具であって、前記膜体が、前記重層された薄板の前面及び背面に貼着されていることを特徴としている。第６の発明によれば、薄板を耐久性の高い金属板とさせた場合であっても、薄板が錆びることがない。
【００３３】
本発明の第７の発明は、前記昇降駆動部が、上水道の水圧により伸縮されるシリンダー形式の昇降駆動装置とされ、  シリンダーと、給水用の第１電磁弁と、排水用の第２電磁弁と、排水筒とを有し、第１電磁弁が、前記上水道と前記シリンダー内部の貯水空間とを連通させ、第２電磁弁が、前記シリンダーの頂部に備えられ、前記貯水空間と前記排水筒とを連通させ、前記排水筒が、前記頂部よりも下方に配されると共に、前記隙間に介挿され前記伸縮壁の上縁部まで延びる扁平筒部を有し、前記扁平筒部の先方開口部が、前記内層の薄板の前面に当接され、第１電磁弁を開放させ、第２電磁弁を閉鎖させることにより、前記貯水空間に給水されて前記シリンダーが伸長され、第１電磁弁を閉鎖させ、第２電磁弁を開放させることにより、前記貯水空間から前記排水筒に排水されて前記シリンダーが自重で縮退され、前記扁平筒部が、水を前記伸縮壁の上縁部まで案内させ、前記伸縮壁の前面を伝うように排水させることを特徴としている。
【００３４】
第７の発明によれば、一般的な上水道の０．２５ＭＰａから０．３ＭＰａの水圧であっても伸縮可能なシリンダーにより伸縮壁を昇降させるため、電動の給水ポンプを付設させなくてもよい。伸縮壁を縮退させるときには、延伸されたシリンダーの頂部に配設された第２電磁弁を開き、シリンダーを伸張させた水を扁平筒部により伸縮壁の上縁部まで案内させて排水させている。扁平筒部の先方開口部は、内層の薄板、換言すれば伸縮壁の上端位置にある薄板の前面に当接されているため、排水は伸縮壁の前面を伝って垂下される。
【００３５】
そのため、伸縮壁が縮退されるごとに、壁掛式便器のように伸縮壁の前面に付着された飛沫が自動的に洗い流される。これにより、飛沫遮蔽具に付着された飛沫を洗い流し、衛生的に維持管理しやすいという有利な効果を奏する。扁平筒部は、排水時以外には扁平に潰れて便座部と便器の隙間に介挿されているため、便座部の着座位置も変わらない。扁平筒部は、例えば２枚の樹脂シート体を重ねて両縁部を熱溶着させるだけでよく、製造も容易である。
【発明の効果】
【００３６】
・本発明の第１の発明によれば、便座部を改造して着座位置を高くさせなくても、尿の飛沫遮蔽具を腰掛式便器に装着させることができるという従来にない有利な効果を奏する。
・本発明の第２の発明によれば、伸縮壁を便器の中に収容させても、洗浄ノズルが延出されるときに伸縮壁と接触されず、洗浄動作を妨害させない。
・本発明の第３の発明によれば、簡単な機構の進退駆動部により、伸縮壁を小さな進退動作で、基部の下方に潜り込ませることができる。
・本発明の第４の発明によれば、進退駆動部を簡単な機構とすることができると共に、洗浄便座の基部から便器の側方に操作盤が延出されている洗浄便座にも容易に適用することができる汎用性の高い飛沫遮蔽具とすることができる。
・本発明の第５の発明によれば、伸縮壁だけを定期的に交換することが容易となり、飛沫遮蔽具を衛生的に管理しやすい。
・本発明の第６の発明によれば、薄板を耐久性の高い金属板とさせた場合であっても、薄板が錆びることがない。
・本発明の第７の発明によれば、飛沫遮蔽具に付着された飛沫を洗い流し、衛生的に維持管理しやすいという有利な効果を奏する。
【図面の簡単な説明】
【００３７】
【図１】飛沫遮蔽具と洗浄便座を有する腰掛式便器の斜視図（実施例１）。
【図２】進退手段の平面による説明図（実施例１）。
【図３】進退手段の断面による説明図（実施例１）。
【図４】伸縮壁の説明図（実施例１）。
【図５】進退手段の平面による説明図（実施例２）。
【図６】進退手段の断面による説明図（実施例２）。
【図７】飛沫遮蔽具と腰掛式便器の説明図（実施例３）。
【図８】伸縮手段の説明図（実施例４）。
【発明を実施するための形態】
【００３８】
尿の飛沫遮蔽具をなす伸縮壁を、便座部底面と便器側壁内面に囲まれた便器の内方空間に収容させると共に、便座部底面と便器の側壁天面の隙間に介挿される薄厚の部材により吊り下げ保持させるようにした。これにより、便座部を改造して着座位置を高くさせなくても飛沫遮蔽具を腰掛式便器に装着することができると共に、前記内方空間を有効に活用させることができる。洗浄便座を有する腰掛式便器においては、飛沫遮蔽具に進退手段を備えさせ、便座部が降ろされている間は、洗浄ノズルの動線と伸縮壁とが交差しないように、洗浄ノズルを格納させる洗浄便座の基部の下方に伸縮壁を退避させるようにした。
【実施例１】
【００３９】
実施例１においては、洗浄便座を有する腰掛式便器１００に装着させる飛沫遮蔽具１を、図１から図４を参照して説明する。図１は、進退手段を備えた飛沫遮蔽具１と腰掛式便器１００との斜視図を示している。図１（Ａ）図は、腰掛式便器が腰掛けて使用される場合を示し、伸縮壁を縮退させると共に洗浄ノズルが延伸されている状態を示している。図１（Ｂ）図は、男性が腰掛式便器に向かい合って排尿する場合を示し、伸縮壁を便器の前方に進出させると共に伸張させた状態を示している。
【００４０】
図２は、進退手段の説明図を示している。図２（Ａ）図は、伸縮壁を後退させた状態の平面図を示し、図２（Ｂ）図は伸縮壁を進出させた状態の平面図を示している。図２（Ｃ）図は、図２（Ａ）図のＢ−Ｂ位置における便器を横断する断面図を示している。図２においては、基部の下方に隠れている伸縮壁の中央部を破線で示し、便座部を一点鎖線で示している。図３の各図は、図２（Ａ）図のＡ−Ａ位置における便器を縦断する断面図を示している。図３（Ａ）図は、伸縮壁を後退させている状態を示し、図３（Ｂ）図は、伸縮壁を進出させた状態を示し、図３（Ｃ）図は、伸縮壁を伸張させた状態を示している。図４の各図は、伸縮壁をなす薄板と膜体の説明図を示している。
【００４１】
まず、飛沫遮蔽具１を装着させる腰掛式便器１００の例について簡単に説明する。本実施例においては、男性が立って腰掛式便器に向かい合ったときに、男性に近い側を便器の前方とし、男性から遠い側を便器の後方として説明する。腰掛式便器１００は、便器１１０と、便器の上方に配設される洗浄便座１２０と、便蓋２００と、貯水部（図示を省略している）を備えている。なお、実施例１においては、便所の壁２０１に固着された操作盤２０２（図２参照）により、無線操作される洗浄便座を例に説明する。
【００４２】
洗浄便座１２０は、便器１１０の天面の後方側に洗浄ノズル１２１が格納される基部１２２が載置され、基部１２２に便座部１２３と便蓋２００とが回動可能に装着されている（図１参照）。洗浄便座の基部１２２は、前方側１２４が便器開口部１１１の上方に張り出すように配設されている（図２（Ｂ）図破線参照）。前記基部１２２は、洗浄ノズル１２１と、洗浄ノズルの格納部１２５と、格納部の前端に配される開閉部１２６とが備えられる（図３参照）。洗浄ノズル１２１を進出させるときには、開閉部１２６を上方に回動させて洗浄ノズル１２１を露出させてから、洗浄ノズルを便器の中心部に向けて斜め下方に進出させている（図１（Ａ）図参照）。
【００４３】
便座部１２３は、内方側に便座開口部１２７が備えられると共に、底面側に便器の側壁天面１１２との間に隙間１１３をあける複数の脚部１２８，１２９を備えている（図１参照）。前記脚部は、前方側と後方側とに、左右一対ずつ備えられると共に前方側の脚部１２８の高さが約５ｍｍとされ、後方側の脚部１２９の高さが約１０ｍｍとされている。また、便座部１２３の外縁部から便座開口部１２７までの着座部分の幅は、便器の側壁天面１１２の幅よりも長く、便座部１２３よりも下方には、便座部１２３の底面と便器の側壁内面１１４とに囲まれる内方空間１１５が備えられる（図２（Ｃ）図参照）。
【００４４】
飛沫遮蔽具１は、上下方向に伸縮される伸縮壁１０を、左右二対の鉤状軸体２０，２１により前記内方空間１１５に吊り下げ保持させている（図１，図２参照）。より詳細には、前記便座部１２３の下方で、便器開口部の外周縁から便座開口部１２７の外周縁の間に吊り下げられている。各々の鉤状軸体２０，２１は、前記隙間１１３を内外に貫通し、便器１１０の中で先方が下方に折れ曲がると共に、先端部２２，２３が伸縮壁１０を回動可能に軸支させている。前記鉤状軸体のうち、便器の前方側に配された一対の鉤状軸体２０，２０が、伸縮壁１０の伸縮手段３０をなす昇降運動伝達部とされる。便器の後方側に配された一対の鉤状軸体２１，２１が、伸縮壁１０の保持手段とされると共に、伸縮壁１０の進退手段４０をなす進退運動伝達部とされる。
【００４５】
便座部１２３が降ろされたときには、進退手段４０により、縮退された伸縮壁１１の中央部１２を洗浄便座の基部１２２の下方に潜り込ませるように後退させている（図１（Ａ）図，図３（Ａ）図矢印ａ参照）。この状態においては、伸縮壁１０全体が便座開口部１２７よりも内側に張り出さないように、便座部１２３（図２（Ａ）図一点鎖線参照）の下方に隠ぺいされている。
【００４６】
便座部１２３が起ち上げられたときには、進退手段４０により、便器の後方に後退させていた伸縮壁の中央部１２を、洗浄便座の基部１２２よりも前方側の位置まで進出させてから（図３（Ｂ）図矢印ｂ）、伸縮壁１０を伸張させる（図３（Ｂ）図矢印ｃ、図３（Ｃ）図参照）。これにより、便座部下方の前記内方空間１１５（図２（Ｃ）図参照）を有効に活用することができると共に、洗浄便座を有する腰掛式便器にも適用できる汎用性の高い飛沫遮蔽具とすることができる。
【００４７】
飛沫遮蔽具１をなす伸縮壁１０は、重層された薄板１３，１３・・・と、各々の薄板と貼着されて薄板を一体とさせる膜体１４と、薄板の下辺を支える支持片１５とからなる。重層された薄板１３，１３・・・は、伸縮壁１０の上部をなす薄板が内層に、伸縮壁の下部をなす薄板が外層に、水平方向に重層されている。重層された薄板１３，１３・・・は、便器の後方から左右両側に、便器１１０の内面外周部に沿って湾曲されて延びている（図２参照）。伸縮壁１０の平面形状は、略コの字形状をなすように屈曲されてもよい。伸縮壁１０が伸張されたときに、便器の側壁天面１１２から突き出される高さは限定されない。例えば、突き出し高さを約６０ｃｍとすると、壁掛け式便器に近似した使い勝手となり、飛沫を遮蔽させる性能が高くなる。
【００４８】
薄板１３の重層枚数、１枚あたりの高さは、便器内面の起伏形状に応じて設計されればよく限定されない。例えば、便器内面の外周側がゆるやかに傾斜されている場合（図２（Ｃ）図参照）には、薄板１枚あたりの高さを約２ｃｍから約３ｃｍとすればよい。便器内面がすり鉢状をなしている場合には、便器の外周部において、側壁天面から便器内面までの距離が長いため、薄板１枚あたりの高さを３ｃｍよりも高くさせて、重層枚数を減らすと伸縮壁を製造しやすくなる。
【００４９】
薄板の板厚・材質は限定されず、例えば板厚が０．１ｍｍから０．５ｍｍの樹脂板、金属板であればよい。板厚を厚くさせて重層枚数を減らした場合には、伸縮壁の伸縮が繰り返されても、拭き掃除のときに前面が押圧されても、薄板が面と交差する方向に座屈されにくい。そのため、軽量で錆びることがないポリプロピレン、ポリエチレンテレフタラート製の樹脂板とすると好適である。
【００５０】
また、伸縮壁の形状維持手段をなす補強糸を、膜体の高さ方向に沿って適宜の間隔をあけて貼着させると、樹脂板の板厚が０．３ｍｍ以下であっても伸縮壁の形状を維持させやすい。ほかにも、各々の薄板の両側端部を側方に屈曲させると、湾曲させた薄板が平坦な形状に弾性復元されにくく、伸縮壁の形状を維持させやすい（図５参照）。なお、鈎状軸体に薄板を軸支させやすいように、内層の薄板と外層の薄板については、板厚を厚くさせてもよい。
【００５１】
膜体１４は、各々の薄板１３，１３・・・に対して、薄板を重ねたまま垂直面方向にスライド可能に貼着されている（図４参照）。具体的には、伸縮壁１０は、膜体１４が薄板１３の背面側に貼着される場合には、各々の薄板１３，１３・・・を、薄板１枚あたりの高さαよりも短い距離β（図４（Ａ）図参照）をずらしながら、薄板の背面上縁部１６を膜体１４に貼着させると、伸縮壁１０を伸張させたときに、薄板１３の上縁部が、上隣の薄板１７の背面に重なると共に、薄板１３の下縁部が下隣の薄板１８の前面に重なった状態とされる（図４（Ａ）図参照）。
【００５２】
また、膜体１４は薄板の背面上縁部１６以外には貼着されていないため、伸縮壁１０が縮退されるときには、膜体の貼着されていない部分１９，１９・・・が折り畳まれ、各々の薄板１３，１３・・・が重層された状態に復帰される（図４（Ｂ）図参照）。膜体の材質・厚さは限定されないが、柔軟に変形させやすいように、例えば、厚さ０．１ｍｍのポリエチレン製の薄膜体とされると好適である。膜体１４を薄板１３の前面側に貼着させる場合には、薄板の前面下縁部を膜体に貼着させればよい（図４（Ｃ）図，図４（Ｄ）図参照）。この場合には、伸縮壁１０の頂部に位置する内層の薄板１３０については、膜体を前面全体に貼着させてもよい。
【００５３】
支持片１５は、縮退された伸縮壁１１の左右両側と中央部の３カ所に分散して備えられる（図２参照）。各々の支持片１５は、基端部が外層の薄板１３１に固着され、先端部が縮退された伸縮壁１１を横断して延び、各々の薄板１３，１３・・・の下辺を支えている（図２，図３参照）。これにより、内層の薄板１３０と外層の薄板１３１の間にある中間の薄板１３２が、下方に垂れ下がることがない。
【００５４】
保持手段をなす鉤状軸体２１，２１は、外層の薄板１３１から便器の左右両側に延び、便座部と便器の側壁天面との隙間１１３に介挿されている（図１から図３参照）。鉤状軸体の中間部２４が、便器の側壁天面１１２に当接されることにより、縮退された伸縮壁１１の重量を支えている。鉤状軸体の先端部２３が、外層の薄板１３１を回動可能に軸支させているため、伸縮壁を揺動進退させたときであっても、伸縮壁は傾かない（図３（Ｂ）図参照）。
【００５５】
前記先端部２３は、伸縮壁１０の前後方向の重心位置を支え、伸縮壁を前後に傾かせないように略水平に吊り下げている（図２，図３参照）。なお、保持手段をなす鈎状軸体２１，２１を複数対として、伸縮壁を前後に傾かないように吊り下げてもよい。鉤状軸体２１の前記中間部２４（図２参照）の径は、便座部１２３の着座位置の高さが変わらないように、便座部底面と便器の側壁天面との隙間１１３に介挿できる大きさであればよい（図１参照）。
【００５６】
進退手段４０は、進退駆動部４１と進退運動伝達部をなす鉤状軸体２１，２１とからなる。進退駆動部４１は、各々の鉤状軸体２１，２１の外端部に装着された歯車４２と、歯車を回動させるモータ４３とされる（図１参照）。進退駆動部４１をなすモータ４３が、前記歯車４２を回動させることにより、前記鉤状軸体２１の中間部２４が軸周りに回動される。そうすると、鉤状軸体の先端部２３が下方に凸の円弧軌道に沿って揺動され、進退運動伝達部に軸支されている外層の薄板１３１に進退運動が伝達され、伸縮壁１０全体が揺動進退される（図３参照）。
【００５７】
便座部１２３が降ろされている間は、縮退された伸縮壁１１が進退手段４０により揺動されて後退され、伸縮壁の中央部１２が洗浄便座の基部１２２の下方に潜り込むように退避されている（図２（Ａ）図，図３（Ａ）図参照）。より詳細には、鉤状軸体２１の先端部２３が鉛直位置まで揺動されたときに、伸縮壁の中央部１２が、洗浄ノズル１２１の動線よりも下方、かつ、便器の後方側となる位置に退避されている。そのため、縮退させた伸縮壁１１を便器の中に吊り下げても、洗浄ノズル１２１の進退が妨害されない。
【００５８】
便座部１２３が起ち上げられたときは、縮退された伸縮壁１１が進退手段４０により揺動されて前進され、前記基部１２２の下方に退避されていた伸縮壁の中央部１２が、基部の前方側１２４よりも便器の前方側に進出される（図１（Ｂ）図，図２（Ｂ）図参照）。この状態で伸縮壁１０が伸張されるため、伸縮壁の中央部１２が基部１２２の下面に衝突しない（図３（Ｃ）図参照）。これにより、洗浄ノズルを格納させる基部１２２が、便器の後方部において便器開口部１１１の上方に張り出すように設置される洗浄便座１２０であっても、飛沫遮蔽具１を装着させることができる。
【００５９】
また、鉤状軸体２１の先端部２３の長さは、縮退された伸縮壁１１が水の流れを妨害させないように、吊り下げられた伸縮壁の下辺と便器の内面とが離間される長さとしている。鉤状軸体の揺動態様は、先端部が鉛直位置から前方に揺動される場合に限定されず、鉛直線を挟んで両側に揺動されてもよい。この場合には、洗浄ノズルの動線と交差されない範囲で、鉤状軸体の先端部を鉛直線よりも便器後方側まで揺動させれば、鉤状軸体が垂下される長さが短くても、進退距離を長くとることができる。便器内面の外周部がゆるやかに傾斜されている腰掛式便器のように、先端部を長くできない場合に好適である。
【００６０】
伸縮手段３０は、昇降駆動部３１と、昇降運動伝達部をなす一対の鉤状軸体２０，２０とからなる。鉤状軸体２０は、内層の薄板１３０から便器の左右両側に延びると共に、便器の内部に位置される先端部２２が下方に折り曲げられている（図１参照）。鉤状軸体２０は、中間部２５が便座部底面と便器の側壁天面との隙間１１３を内外に貫通する細径の部材とされる。そのため、便座部１２３の着座位置の高さが変わらないと共に、昇降駆動部３１を便器１１０の外に配設させることができる。
【００６１】
昇降駆動部３１は、便器の外に配設される電動シリンダーとされる（図１参照）。電動シリンダーとは、モータの回転運動を直線運動に転換させて、筒部３２に内挿された軸３３を伸縮させる電動装置である。昇降駆動部３１が昇降されることにより、昇降運動伝達部をなす鉤状軸体２０が、伸縮壁をなす内層の薄板１３０に昇降運動を伝達させ、伸縮壁１０を伸張・縮退させる。
【００６２】
伸縮手段３０により内層の薄板１３０を上昇させると、内層の薄板に貼着された膜体１４が展張される。膜体１４の展張につれて中間の薄板１３２が、内層側から順に引き出され垂直面方向にスライドされ、伸縮壁１０が伸張される。伸縮手段３０により内層の薄板１３０を降下させると、中間の薄板１３２が外層側から順に支持片１５に下辺が当接されるまで、各々の薄板１３，１３・・・が垂直面方向にスライドされ、同じ高さで水平方向に重層され、伸縮壁１０が縮退される。また、進退運動伝達部をなす鉤状軸体２１が伸縮壁１０を揺動進退させたときには、伸縮壁の揺動につれて昇降運動伝達部をなす鉤状軸体２０も揺動されるため、伸縮壁は傾かない。
【００６３】
便器１１０の左右の側方に配される伸縮手段３０，３０と進退手段４０，４０とは、伸縮壁１０の伸縮と進退を左右で連動させるマイクロコンピュータ５０を備えている（図２参照）。マイクロコンピュータ５０は、無線信号の受信部５１を内蔵し、洗浄便座の操作盤２０２と同様に、便所の壁２０１に固着された飛沫遮蔽具１の操作盤５２からの操作信号を前記受信部５１で受信し、左右の昇降駆動部３１と進退駆動部４１とを連動駆動させている。
【００６４】
具体的には、飛沫遮蔽具１の操作盤５２は、伸張ボタンと縮退ボタンとが備えられる。伸張ボタンが押されると、進退駆動部４１をなすモータ４３が正転されて伸縮壁１０が進出されると共に、昇降駆動部３１をなす電動シリンダーが上昇されて伸縮壁が伸張される（図１（Ｂ）図，図３（Ｃ）図参照）。縮退ボタンが押されると、前記モータ４３が反転されて伸縮壁１０が後退されると共に、昇降駆動部３１をなす電動シリンダーが降下されて伸縮壁が縮退される（図１（Ａ）図，図３（Ａ）図参照）。
【００６５】
鉤状軸体２０，２１は、伸縮壁１０を着脱可能に軸支させると、定期的な交換が容易となる。伸縮壁を脱着させる態様は限定されず、例えば、薄板と鉤状軸体の先端部とを貫通する孔を穿設させ、前記孔に遊嵌される短尺のネジと抜け止め用のナットを装着させれば足りる。なお、伸縮壁を鉤状軸体と共に、昇降駆動部と進退駆動部とから脱着させてもよい。伸縮手段３０と進退手段４０とマイクロコンピュータ５０とを筐体２１０に格納させると、便器を清掃する際に機械部品が濡れることもなく、管理が容易となる。
【実施例２】
【００６６】
実施例２においては、伸縮壁を便器の前後方向に水平進退させる飛沫遮蔽具２を、図５，図６を参照して説明する。図５は飛沫遮蔽具２と腰掛式便器３００の平面図を示している。図５（Ａ）図は後退させた状態を示し、図５（Ｂ）図は進出させた状態を示している。図６（Ａ）図は、図５（Ａ）図のＡ−Ａ位置断面図を示し、図６（Ｂ）図は図５（Ｂ）図のＢ−Ｂ位置断面図を示し、図６（Ｃ）図は、図５（Ｂ）図のＣ−Ｃ位置から看た側面図を示している。実施例２以下においては、先に説明した実施例と同一の構成については、同一の符号を付して説明を省略している。
【００６７】
飛沫遮蔽具２においては、便器に向かって左側方に、洗浄便座３０１の操作盤３０２が延設される腰掛式便器３００を例に説明する（図５（Ａ）図参照）。飛沫遮蔽具２をなす伸縮壁６０は、前記左側方に延びる幅広の屈折板７０と、右側方に延びる２枚の屈折板７１，７２により吊り下げ保持されると共に、便器の右側方だけに配された伸縮手段３０と進退手段４４により伸縮・進退される。各々の屈折板７０，７１，７２は、先端部が便器の内方空間１１５で下方に屈曲されると共に、便座部１２３の底面と便器の側壁天面１１２とのなす隙間１１３に介挿される薄厚の部材とされる（図５，図６参照）。
【００６８】
前記幅広の屈折板７０が、伸縮壁６０の保持手段をなし、先端部が外層の薄板６１に連なり、外方が便器の側壁天面１１２に当接されている。右側方に延びる２枚の屈折板７１，７２のうち、前方側の屈折板７１が進退運動伝達部をなし、先端部が外層の薄板６１に連なり、外端が進退駆動部４５に連なっている（図５（Ａ）図参照）。進退駆動部４５は、水平方向に軸が伸縮される第２電動シリンダーとされる（図６（Ｃ）図参照）。第２電動シリンダーの軸４６の先端部は垂直に屈曲されて前方側の屈折板７１の外端部に繋がっている。
【００６９】
右側方に延びる２枚の屈折板のうち、便器後方側の屈折板７２が昇降運動伝達部をなしている。屈折板７２は、先端部が下方に屈折されて内層の薄板６２に連なり、外端部が便器の外まで延設されて昇降駆動部３１の装着部３４にスライド可能に装着されている（図５，図６参照）。装着部３４は、高さ方向に隙間をあけて並列され、便器の前後方向に延びる一対の板とされる。この装着部３４のなす溝３５に、屈折板７２の外端部を挿入して挟持させ、溝に沿って便器の前後方向にスライド可能とさせればよい。装着部の態様はこれに限定されず、屈折板７２の外端部に前後方向に延びる長孔を備えさせ、電動シリンダーの軸を長孔に挿通させてもよい。
【００７０】
伸縮壁６０は、外層の薄板６１から延設される支持片６１が、内層の薄板６２に面する立設部６４を備える点と、両側端部６５，６５が内方に屈曲されている点でのみ実施例１と異なっている。伸縮壁６０が前進されるときには、進退運動伝達部をなす屈折板７１に連なる第２電動シリンダーの軸４６が便器の前方に延出される。このとき、屈折板７１に連なる外層の薄板６１が、残りの薄板を一体に前方に押し出し、伸縮壁６０が前進される（図６（Ａ）図参照）。
【００７１】
一方、伸縮壁６０が後退されるときには、第２電動シリンダーの軸４６が縮退され、外層の薄板６１が後退される。このとき、前記支持片の立設部６４が内層の薄板６２の前面に引っ掛かり、残りの薄板を一体に後方に引き込み、伸縮壁６０が後退される（図６（Ｂ）図参照）。伸縮壁６０は、昇降駆動部３１が昇降されることにより、片持ち状態で伸縮される（図６（Ｃ）図参照）。この場合には、便器に向かって左側方の薄板が下方に傾きにくいように、内層の薄板６２と屈折板７２を強度の高い金属板とすると好適である。
【実施例３】
【００７２】
実施例３においては、伸縮手段のみを備えた飛沫遮蔽具３を、図７を参照して説明する。図７（Ａ）図は、洗浄便座を有さない腰掛式便器４００に飛沫遮蔽具３を装着させた状態を示している、図７（Ｂ）図は、洗浄便座の基部が後方に切り欠かれた形状とされた腰掛式便器５００に飛沫遮蔽具３を装着させた状態を示している。
【００７３】
飛沫遮蔽具３は、便器１１０の両側方に延びる広幅の平板体８０と、細幅の平板体８１により吊り下げ保持されている。広幅の平板体８０，８０が保持手段とされ、先端部が外層の薄板１３１に連なっている。広幅の平板体８０は、便座部１２３と便器の側壁天面１１２との隙間１１３（図２（Ｃ）図参照）に介挿され、側壁天面に当接し、伸縮壁１０を前記内方空間１１５（図２（Ｃ）図参照）で吊り下げ保持させている。細幅の平板体８１が昇降運動伝達部とされ、先端部が内層の薄板１３０に連なると共に、外端が昇降駆動部３１に連なっている。この場合も、前記隙間には、広幅の平板体８０に細幅の平板体８１が重ねられた状態で介挿されているにすぎず、着座位置が高くならない。
【００７４】
洗浄便座を有さない腰掛式便器４００の場合には（図７（Ａ）図参照）、便器開口部１１１全体が露出されているため、伸縮壁１０を進退させなくてもよく、便座部の下方の内方空間１１５（図２（Ｃ）図参照）を簡単に有効利用することができる。なお、近年においては、洗浄便座５０１の基部の先端側５０２の形状を、便器開口部１１１の後部の形状に馴染むように、後方に凸に切り欠いて、基部の先端側５０２を清掃しやすくした機種もある（図７（Ｂ）図参照）。この場合にも、進退手段がない飛沫遮蔽具３であっても適用することができる。
【実施例４】
【００７５】
実施例４においては、上水道の水圧で伸縮される飛沫遮蔽具４を、図８を参照して説明する。図８（Ａ）図は、飛沫遮蔽具４と腰掛式便器４００の平面図を示している。図８（Ｂ）図は、図８（Ａ）図のＡ−Ａ位置断面図であり、伸縮壁が伸張された状態を示している。図８（Ｃ）図は、図８（Ａ）図のＡ−Ａ位置断面図であり、伸縮壁が縮退されると共に、伸縮壁の前面が洗浄されている状態を示している。
【００７６】
飛沫遮蔽具４においては、昇降駆動部が、一般的な上水道の０．２５ＭＰａから０．３ＭＰａの水圧で伸縮されるシリンダー形式の昇降駆動装置９０とされている（図８参照）。昇降駆動装置９０は、便器１１０の両側に配設され、貯水空間９１を有するシリンダー９２と、上水道９３と貯水空間９１とを連通させる第１電磁弁９４と、シリンダーの頂部に備えられる第２電磁弁９５と、第２電磁弁９５に連通される排水筒９６とを備えている。排水筒９６は、シリンダー９２の頂部よりも低い位置に配設されると共に、便座部１２３を降ろしたときに、便座部１２３と便器の側壁天面１１２との隙間１１３（図２（Ｃ）図参照）に介挿可能な扁平筒部９７を備えている。
【００７７】
排水筒をなす扁平筒部９７は、重ねた樹脂製のシート体の縁部が熱溶着されてなり、排水時には、シリンダー９２の頂部で貯水空間と連通される第２電磁弁を通じて、内層の薄板まで水を誘導させている。扁平筒部９７の先方開口部９８は、内層の薄板１３０に沿って延びると共に（図８（Ａ）図参照）、内層の薄板の前面に当接され、上水６００が伸縮壁１０の前面を伝って垂れるようにさせている（図８（Ｃ）図参照）。伸縮壁１０を伸張させるときには、第１電磁弁９４を開放させると共に第２電磁弁９５を閉鎖させることにより貯水空間９１に上水を貯水させてシリンダー９２を伸張させる（図８（Ｂ）図参照）。
【００７８】
伸縮壁１０を縮退させるときには、第１電磁弁９４を閉鎖させると共に第２電磁弁９５を開放させる。そうすると、シリンダー９２が自重により縮退されて貯水空間９１の容積が減少し、水が排水筒９６を通じて排水される（図８（Ｃ）図参照）。これにより、伸縮壁１０を縮退させながら、徐々に排水された上水６００により、伸縮壁の前面に付着された尿の飛沫を洗い流すことができる。
【００７９】
（その他）
・実施例２においては、伸縮手段と進退手段とを便器の片側のみに配設する例を説明したが、便器の両側に配設させてもよいことは勿論のことである。
・実施例４においては、理解を容易にするため、進退手段を備えない飛沫遮蔽具を例に説明したが、進退手段を備えてもよいことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００８０】
１，２，３，４…飛沫遮蔽具、
１０…伸縮壁、１１…縮退された伸縮壁、１２…中央部、１３…薄板、
１４…膜体、１５…支持片、１６…背面上縁部、１７…上隣の薄板、１８…下隣の薄板、
１９…膜体の貼着されていない部分、
１３０…内層の薄板、１３１…外層の薄板、１３２…中間の薄板
２０…鉤状軸体（昇降運動伝達部）、２１…鉤状軸体（進退運動伝達部および保持手段）、
２２，２３…先端部、２４，２５…中間部、
３０…伸縮手段、３１…昇降駆動部、３２…筒部、３３…軸、３４…装着部、３５…溝、
４０…進退手段、４１…進退駆動部、４２…歯車、４３…モータ、
４４…進退手段、４５…進退駆動部、４６…軸、
５０…マイクロコンピュータ、５１…受信部、５２…操作盤、
６０…伸縮壁、６１…外層の薄板、６２…内層の薄板、６３…支持片、
６４…立設部、６５…両側端部、
７０…幅広の屈折板（保持手段）、７１…屈折板（進退運動伝達部および保持手段）、
７２…屈折板（昇降運動伝達部）、
８０…広幅の平板体（保持手段）、８１…細幅の平板体（昇降運動伝達部）、
９０…昇降駆動装置、９１…貯水空間、９２…シリンダー、９３…上水道、
９４…第１電磁弁、９５…第２電磁弁、９６…排水筒、
９７…扁平筒部、９８…先方開口部、
１００…腰掛式便器、１１０…便器、１１１…便器開口部、１１２…側壁天面、
１１３…隙間、１１４…側壁内面、１１５…内方空間、
１２０…洗浄便座、１２１…洗浄ノズル、１２２…基部、１２３…便座部、
１２４…前方側、１２５…格納部、１２６…開閉部、１２７…便座開口部、
１２８，１２９…脚部、
２００…便蓋、２０１…便所の壁、２０２…操作盤、２１０…筐体、
３００…腰掛式便器、３０１…洗浄便座、３０２…操作盤、
４００，５００…腰掛式便器、５０１…洗浄便座、５０２…基部の先端側、６００…上水
【要約】
【課題】男性が立った状態で、腰掛式便器に向かい合って排尿するときに、尿の飛沫を遮蔽させる伸縮壁を伸張させ、便器と便器周囲とを汚損させにくくする飛沫遮蔽具を提供すること。
【解決手段】尿の飛沫遮蔽具１をなす伸縮壁１０を、便座部１２３の底面と便器１１０の側壁内面に囲まれた便器の内方空間に収容させると共に、便座部の底面と便器の側壁天面１１２の隙間１１３に介挿される薄厚の部材により吊り下げ保持させるようにした。これにより、便座部を改造して着座位置を高くさせなくても飛沫遮蔽具を腰掛式便器に装着することができると共に、前記内方空間を有効に活用させることができる。洗浄便座を有する腰掛式便器においては、飛沫遮蔽具に進退手段４０を備えさせ、便座部が降ろされている間は、洗浄ノズル１２１の動線と伸縮壁１０とが交差しないように、洗浄ノズルを格納させる洗浄便座の基部１２２の下方に伸縮壁を退避させるようにした。
【選択図】図１【図１】
0006900018.tif 000002
【図２】
0006900018.tif 000003
【図３】
0006900018.tif 000004
【図４】
0006900018.tif 000005
【図５】
0006900018.tif 000006
【図６】
0006900018.tif 000007
【図７】
0006900018.tif 000008
【図８】
0006900018.tif 000009